(57)【要約】【課題】利用者の恣意的な区分原理に基づいて曲目情報の管理と選曲を行えるカラオケ選曲リモコン装置を提供する。【解決手段】個人別曲目リストを不揮発性メモリに保存しておき、利用者入力に応じて個人別曲目リストを表示して選曲を促すカラオケ選曲リモコン装置において、個人別曲目リストには、楽曲に対する個人的な思い入れにより楽曲を個人的に分類するための分類カテゴリ欄を設定しておき、この個人的思い入れ分類カテゴリに利用者入力情報を記録する手段と、この個人的思い入れ分類カテゴリに基づいて個人別曲目リストを検索する手段を設け、この検索により抽出された曲目集合を表示して選曲を促すように構成したカラオケ選曲リモコン装置としている。【選択図】　　　図２
2004126145.tif 000002
【特許請求の範囲】
【請求項１】
個人別曲目リストを不揮発性メモリに保存しておき、利用者入力に応じて個人別曲目リストを表示して選曲を促すカラオケ選曲リモコン装置において、
個人別曲目リストには、楽曲に対する個人的な思い入れにより楽曲を個人的に分類するための分類カテゴリ欄を設定しておき、この個人的思い入れ分類カテゴリに利用者入力情報を記録する手段と、この個人的思い入れ分類カテゴリに基づいて個人別曲目リストを検索する手段を設け、この検索により抽出された曲目集合を表示して選曲を促すことを特徴とするカラオケ選曲リモコン装置。
【請求項２】
請求項１において、所定の期間内に選曲された楽曲の履歴をとり、個人別曲目リストを表示する際に、選曲履歴がある楽曲とそうでない楽曲とを区別して表示することを特徴とするカラオケ選曲リモコン装置。
【請求項３】
請求項２において、ある分類カテゴリに基づく検索によって表示した個人別曲目リストで、他の分類カテゴリに基づく検索を起源として選曲された楽曲を識別可能にして利用者に提示することを特徴とするカラオケ選曲リモコン装置。
【発明の詳細な説明】
【０００１】
【発明の属する技術分野】
この発明は、個人別曲目リストを不揮発性メモリに保存しておき、利用者入力に応じて個人別曲目リストを表示して選曲を促すカラオケ選曲リモコン装置に関する。
【０００２】
【発明の背景】
ブラウザとＪＡＶＡ（登録商標）を実装するとともに、ＩｒＤＡやブルートゥース（登録商標）規格の短距離無線通信インタフェースを備えた携帯電話機を利用したカラオケ装置用のカラオケ選曲リモコン装置がある（例えば特開２０００−１４８１６９号公報）。このリモコン装置は、カラオケ装置に入力されてリクエスト曲を演奏予約するための楽曲番号をその曲目情報（曲名、アーティスト名）とともに所定のＷｅｂサイトからダウンロードして不揮発性メモリに登録するとともに、利用者入力に応じてその登録楽曲のリスト（個人別曲目リスト）を表示して選曲を促す。そして、特定の１曲が選曲されたならばその楽曲の楽曲番号を含んだ演奏予約コマンドを短距離無線通信インタフェースによりカラオケ装置に送信する。
【０００３】
この種のカラオケ選曲リモコン装置（個人別リモコン装置）では、利用者にとっては周知の楽曲についての曲目情報と楽曲番号が登録されていることが前提となる。したがって、利用者は、カラオケ会場でいちいち目次本を見てリクエスト曲の楽曲番号を調べる必要がなく、リクエスト曲を素早く演奏予約させることができる。その反面、個人別リモコン装置に登録されている楽曲は、利用者によって恣意的に選ばれたものであり、個人別楽曲リストからリクエスト曲を選出する際には、曲目情報がカラオケ目次本のようにジャンル別・アーティスト別・年代別などカラオケ事業者側が定義した区分原理に基づいて整然と分類整理された状態で表示されるわけではない。
【０００４】
もちろん、目次本が採用している区分原理に基づいて個人別リモコン装置に登録されている楽曲を分類し、その分類カテゴリごとに個人別楽曲リストを表示するようにすることは容易である。しかし、個人別リモコン装置に登録されている個人別楽曲リストから楽曲を検索するのと、目次本を見て楽曲を検索するのとでは、楽曲の検索目的が全く違う。利用者が周知の楽曲の中から実際にリクエストする曲を選定する目的には「その場の雰囲気にあわせたい」「場を盛り上げたい」「接待の場で歌いたい」「得意な曲で自身の歌唱力をアピールしたい」など、目次本を使う場合の単に「楽曲番号を知りたい」という目的の前に、何らかの利用者の思い入れが内在する。そのため、従来の区分原理を個人的リモコン装置における曲目情報の区分原理として採用することはほとんど意味がない。
【０００５】
【特許文献１】
特開２０００−１４８１６９号公報
【０００６】
【発明の開示】
本発明は、上記技術的背景の認識に依拠して創作されたものであり、その目的は、利用者の恣意的な区分原理に基づいて曲目情報を分類分けして管理するとともに、リクエスト曲をカラオケ装置に演奏予約する際には、その分類体系に基づいて曲目情報を提示して選曲を促すことで利用者個人にとって最も使いやすいユーザインタフェースを備えたカラオケ選曲リモコン装置を提供することにある。
【０００７】
本発明は、個人別曲目リストを不揮発性メモリに保存しておき、利用者入力に応じて個人別曲目リストを表示して選曲を促すカラオケ選曲リモコン装置において、個人別曲目リストには、楽曲に対する個人的な思い入れにより楽曲を個人的に分類するための分類カテゴリ欄を設定しておき、この個人的思い入れ分類カテゴリに利用者入力情報を記録する手段と、この個人的思い入れ分類カテゴリに基づいて個人別曲目リストを検索する手段を設け、検索により抽出された曲目集合を表示して選曲を促すように構成したカラオケ選曲リモコン装置としている。
【０００８】
また、所定の期間内に選曲された楽曲の履歴をとり、個人別曲目リストを表示する際に、選曲履歴がある楽曲とそうでない楽曲とを区別して表示するカラオケ選曲リモコン装置としてもよい。さらに、ある分類カテゴリに基づく検索によって表示した個人別曲目リストで、他の分類カテゴリに基づく検索を起源として選曲された楽曲を識別可能にして利用者に提示するカラオケ選曲リモコン装置としてもよい。
【０００９】
【発明の実施の形態】
＝＝＝実施の概要＝＝＝
本発明の一実施例として、携帯電話機を個人的リモコン装置として利用した形態を挙げる。携帯電話機はブラウザとＪＡＶＡ実行環境とＩｒＤＡ規格の短距離無線通信インタフェースを実装しているものとし、また、この携帯電話機（以下、多機能電話機）には、この電話機をカラオケ装置用のリモコン装置として機能させるための専用のアプリケーションソフト（カラオケソフト）が事前にインストールされているものとする。そして、カラオケ楽曲の曲目（曲名、アーティスト名）を楽曲番号に対応付けした曲目情報も事前に内蔵する不揮発性メモリに記憶されているものとする。なお、カラオケソフトや曲目情報は、カラオケ事業者が運営するＷｅｂサイトなどに公開しておき、これを多機能電話機にダウンロードするなどして入手できるものとする。
【００１０】
＝＝＝個人的思い入れ分類機能＝＝＝
多機能電話機は、登録されている曲目情報を利用者自身の区分原理に基づいて分類分けし、全登録楽曲分をリストアップすることなく、分類カテゴリを指定することでリクエスト曲を素早く選択してその楽曲を演奏予約する個人的思い入れ分類機能を備えている。
【００１１】
この機能によれば、カラオケ楽曲を従来のジャンルやアーティストなどの既成の分類カテゴリではなく、例えば、カラオケの場で想定される場面で歌う曲（聴かせる曲、泣かせる曲、接待曲、盛り上げ曲、…）ごとに分類カテゴリを設定するなど、利用者の恣意的な区分原理でカラオケ楽曲を分類することができる。
【００１２】
＝＝＝分類カテゴリの設定と楽曲の分類分け＝＝＝
本実施例の個人的思い入れ分類機能では、利用者が分類カテゴリを新規に作成し、そのカテゴリに登録済みのカラオケ楽曲を任意に分類分けすることができるようになっている。図１に分類カテゴリの作成手順を多機能電話機における画面遷移図によって示した。多機能電話機にてカラオケソフトを起動すると、各種モードを呼び出すための初期画面１０が表示される（Ａ）。この画面には「ダウンロード」「リモコン」「思い入れ分類」の各ボタン１１〜１３が配設されている。ここでは「思い入れ分類」１３を指示する。なお「リモコン」ボタン１１は、不揮発性メモリに登録されている曲目情報リストを表示させたり、リスト中から選曲した楽曲をカラオケ装置に演奏予約させたりするモードへ移行させるためのボタンである。「ダウンロード」ボタン１２は曲目情報をＷｅｂサイトから取り寄せる際に指示するボタンである。
【００１３】
多機能電話機は、「思い入れ分類」ボタン１３への指示に応動して分類機能の起動画面を表示する（Ｂ）。この起動画面２０には「新規カテゴリ作成」「カテゴリ編集」の各ボタン２１〜２２がある。利用者が「新規カテゴリ作成」ボタン２１を選択した上で「次へ」ボタン２３をすると、カテゴリ名の入力欄３１を含んだ新規分類カテゴリ設定画面３０が表示される。そして、カテゴリ名入力欄３１にカテゴリ名を記入して「設定」ボタン３２を指示すると、登録されている全楽曲についての曲目情報をリストアップしたカテゴリ別楽曲登録画面４０が表示される。各曲目情報の記載箇所にはチェックボタン４１が配設されており、新規カテゴリに分類分けしたい楽曲のチェックボタン４１を指示した上で、「登録」ボタン４２を指示すると、この新規カテゴリに指示したカラオケ楽曲を登録する旨の確認画面５０を表示する（Ｅ）。そして、この画面５０にある「確認」ボタン５１を指示すると先の曲目情報一覧画面４０にてチェックマークを記入した楽曲を作成した分類カテゴリに登録する。
【００１４】
また、分類機能の起動画面２０において「カテゴリ編集」ボタン２２を指示すると、作成済みの分類カテゴリから編集対象のカテゴリを選択するためのリストダウンボックス６１を含むカテゴリ編集画面６０が表示される（Ｆ）。またこの編集画面６０には、リストダウンボックス６１から選択したカテゴリに対して、名称変更、登録楽曲変更、削除のそれぞれを指定するためのボタン６２〜６４が配設されている。「名称変更」ボタン６２を指示すると、名称を再設定するための画面７０が表示される（Ｇ）。また「登録楽曲変更」ボタン６３を指示すると、先のチェックボックス４１付きの曲目情報一覧画面４０が表示されて、カテゴリ編集画面６０にて選択したカテゴリに楽曲を再度登録し直すことができる。「削除」ボタン６４を指示すると、選択したカテゴリを削除する。以上の手順によって分類カテゴリとそのカテゴリに登録するカラオケ楽曲とが指定されると、多機能電話機の不揮発性メモリには、各分類カテゴリとカラオケ楽曲との対応テーブルが記憶される。図２にこの対応テーブルの概略図を示した。各楽曲が適宜な分類カテゴリに分類・登録される。もちろん、一つの楽曲が複数のカテゴリに登録されていてもよいし、どのカテゴリにも登録されていない楽曲があってもよい。
【００１５】
なお、分類カテゴリへの利用者入力情報としては、分類カテゴリを新規に作成するための指示やそのカテゴリに登録する楽曲の指示などに限らず、例えば、分類カテゴリがあらかじめ用意されていて、利用者が必要に応じて既成の分類カテゴリに適宜な名称を付与するなど、適宜な形態に変更可能である。
【００１６】
＝＝＝演奏予約＝＝＝
上述の操作手順により各分類カテゴリに登録された楽曲をカラオケ装置に演奏予約させるためには、先の初期画面１０の「リモコン」ボタン１２を指示する。図３にこの電話機でリクエスト曲をカラオケ装置に演奏予約させるまでの手順を画面遷移図によって示した。初期画面１０の「リモコン」ボタン１２が指示されると（Ａ）、多機能電話機はリモコンモードの起動画面８０を表示する（Ｂ）。この画面８０には「一覧選曲」「ダイレクト選曲」「カテゴリ選曲」の各ボタン８１〜８３が配設されている。「一覧選曲」ボタン８１を指示すると、不揮発性メモリに登録されている全曲目情報を一覧表示するとともに、その一覧中から選択された１曲を演奏予約させる動作モードへ移行する。「ダイレクト選曲」８２は登録されていないカラオケ楽曲などを演奏予約するときなどに対応し、このボタン８２を指示すると、楽曲番号を直接テンキー入力して演奏予約させるための動作モードへ移行する。ここでは「カテゴリ選曲」ボタン８３が指示されたものとする。
【００１７】
多機能電話機は、この指示に応動して分類カテゴリをリストダウンボックスから選択させるためのカテゴリ選択画面９０を表示する（Ｃ）。利用者がリストダウンボックス９１から適宜なカテゴリを選択して「曲目リスト表示」ボタン９２を指示すると、その選択されたカテゴリに登録されている楽曲の曲目情報一覧を含むカテゴリ別選曲画面１００を表示する（Ｄ）。この曲目情報一覧から１曲を選択された状態で「送信」ボタン１０１が指示されると、その楽曲の楽曲番号を含んだ演奏予約コマンドをカラオケ装置に無線送信する。そして、確認画面１１０を表示した後（Ｅ）、カラオケソフトの初期画面１０を表示して、入力待機状態に戻る。
【００１８】
＝＝＝選曲履歴＝＝＝
一度演奏予約した楽曲については、演奏予約する際にその旨を利用者に提示する構成も考えられる。例えば、図４に示すように楽曲／カテゴリ対応テーブルに演奏予約履歴の有無を示す情報を付加しておく。そして、ある分類カテゴリに登録されている楽曲を一覧表示する際に履歴の有無が識別できるようにして該当する曲目情報の記載箇所に表示しておく。図５にこの履歴の有無を識別表示した画面概略図を例示した。この例では、履歴のある楽曲については、曲目情報に付帯するチェックボックスにマークが入っている。もちろん重複して演奏予約しないように演奏予約履歴のある楽曲の曲目情報を表示しないようにしてもよい。
【００１９】
また、複数の分類カテゴリに属するカラオケ楽曲がある分類カテゴリへの指定入力を起源として演奏予約された後、この楽曲が再度他の分類カテゴリへの指定入力に基づいて曲目リストに表示される際、その楽曲の曲目情報にその旨を表示するようにすることもできる。なおこのような場合には、楽曲／カテゴリ対応テーブルにおける演奏予約履歴には、その履歴の起源となった分類カテゴリを示す情報を記載しておけばよい。図６にこの楽曲／カテゴリ対応テーブルの概略図を示した。また、図７にある分類カテゴリへの指定入力に基づいて演奏予約された楽曲の曲目情報が他のカテゴリにおける曲目リスト中で表示された際の画面概略図を例示した。
【００２０】
なお、カラオケの利用機会ごとに履歴を抹消する必要がある場合などに対応して、演奏履歴に有効期限を設けてもよい。そのためには、例えば、カラオケソフトの起動または終了時点、カラオケソフトが起動されて所定時間経過した時点、あるいは日が変わるなど所定の期限が経過した時点など、所定期間ごとに履歴を抹消するようにすればよい。
【００２１】
＝＝＝リモコン装置の形態＝＝＝
本発明のカラオケ選曲リモコン装置の形態としては、多機能電話機の例に限らず、パーソナルコンピュータやＰＤＡなどの汎用のコンピュータを流用する形態も可能である。もちろん、思い入れ分類機能を備えた専用のリモコン装置があってもよい。
【００２２】
【発明の効果】
本発明のカラオケ選曲リモコン装置によれば、利用者の区分原理に基づいてカラオケ楽曲を分類分けすることができる。そして、適宜な分類カテゴリに属する楽曲の曲目情報を呼び出してリクエスト曲の指定とその楽曲の演奏予約をすることができる。
【図面の簡単な説明】
【図１】本発明の実施例におけるカラオケ選曲リモコン装置にて分類カテゴリを設定する手順を示す画面遷移図である。
【図２】上記カラオケ選曲リモコン装置にて作成される楽曲／カテゴリ対応テーブルの概略図である。
【図３】上記カラオケ選曲リモコン装置におけるリクエスト曲の演奏予約手順を示す画面遷移図である。
【図４】本発明のカラオケ選曲リモコン装置において、演奏予約履歴をとる実施形態に対応する作成される楽曲／カテゴリ対応テーブルの概略図である。
【図５】上記カラオケ選曲リモコン装置において、演奏予約履歴が反映された曲目情報リストが表示された状態を示す概略図である。
【図６】上記演奏予約履歴をとる実施形態を採用したカラオケ選曲リモコン装置のその他の実施例における楽曲／カテゴリ対応テーブルの概略図である。
【図７】上記その他の実施例におけるカラオケ選曲リモコン装置において、演奏予約履歴が反映された曲目情報リストが表示された状態を示す概略図である。
【符号の説明】
３０　新規分類カテゴリ設定画面
４０　カテゴリ別楽曲登録画面
９０　カテゴリ選択画面
１００　カテゴリ別選曲画面
【図１】
2004126145.tif 000003
【図２】
2004126145.tif 000004
【図３】
2004126145.tif 000005
【図４】
2004126145.tif 000006
【図５】
2004126145.tif 000007
【図６】
2004126145.tif 000008
【図７】
2004126145.tif 000009